(57)【要約】【課題】トイガンの弾丸的中力を緩衝し、的中後の弾丸を便利に収集でき、隨時携帯が可能で、体積が小さく収納に便利なトイガン用ターゲット装置の提供。【解決手段】制御回路板２、制御回路板２の前方に設置されたセンサー板３、センサー板３の前方に設置された透明軟性材質の緩衝板４、制御回路板２と電気的に接続され、センサー板の上方に位置する第１表示板５及び第１表示板と隣接する第２表示板６、それらを内部に収容するケース７を含み、センサー板３が複数のセンサーエリアに区分され、それぞれが制御回路板２と電気的に接続され、かつ対応する異なる数値を代表し、トイガンの弾丸が的中したセンサーエリアに対応する数値が第１表示板５に表示され、弾丸が的中した各回の各センサーエリアに対応する数値の総和が第２表示板６に表示される。【選択図】図４
0003189034.tif 000002
【実用新案登録請求の範囲】
【請求項１】
制御回路板と、
前記制御回路板の前方に設置されたセンサー板と、
透明の軟性材質から成り、前記センサー板の前方に設置された緩衝板と、
前記制御回路板と電気的に接続され、前記センサー板の上方に位置する第１表示板と、
前記制御回路板と電気的に接続され、前記センサー板の上方に位置し、かつ前記第１表示板と隣接する第２表示板と、
前記制御回路板、前記センサー板、前記緩衝板、前記第１表示板、前記第２表示板を内部に収容するケースを含み、
前記センサー板がいくつかのセンサーエリアに区分され、各センサーエリアが前記制御回路板と電気的に接続され、かつ各センサーエリアがそれぞれ対応する異なる数値を代表し、トイガンの弾丸が的中した前記センサー板のいずれかのセンサーエリアに対応する数値が前記第１表示板に表示され、前記トイガンの弾丸が的中した各回の前記センサー板の各センサーエリアに対応する数値の総和が前記第２表示板に表示されることを特徴とする、トイガン用ターゲット装置。
【請求項２】
前記センサーエリアが、円心エリアと、第１環状エリアと、第２環状エリアと、第３環状エリアと、第４環状エリアを含み、前記第１環状エリアが前記円心エリアの外囲を囲み、前記第２環状エリアが前記第１環状エリアの外囲を囲み、前記第３環状エリアが前記第２環状エリアの外囲を囲み、前記第４環状エリアが前記第３環状エリアを囲むことを特徴とする、請求項１に記載のトイガン用ターゲット装置。
【考案の詳細な説明】
【技術分野】
【０００１】
本考案は、玩具分野におけるトイガン用ターゲット装置に関する。
【背景技術】
【０００２】
ＢＢガンが登場してからすでに時間が経っており、使用上安全で場所の制限を受けないことに加え、リアルな射撃の効果を楽しめるため、広く消費者に歓迎されている。
初期のＢＢガン用ターゲットの構造は、中空を呈する網状立方体の開口面にターゲット紙を張って構成されており、射撃時における弾丸の高速の力を利用してターゲット紙を貫通させ、ターゲット紙にあいた穿孔の数と着弾位置により点数を計算することができ、かつ弾丸は貫通した後直接後方の網の中に集められるようになっていた。ところが、このような構造では、点数を手動で計算する必要があり、また着弾点が同じ位置に集中しすぎると識別できなくなり、点数計算に誤りが生じることがある。
【０００３】
比較的新しいものとしては、特許文献１に記載されたリモート制御可能な電子センサー式ターゲットがある。これは主にターゲット本体、ターゲット本体電子部材、センサーターゲット面、リモコン装置等の部分から構成され、前記ターゲット面が図形印刷面、エリア導電面、グリッド分層面、環状エリア導電面等４つの層を貼り合わせて成る。各層のターゲットの大きさと線の距離はいずれも同じであり、回路印刷法で形成することができる。ターゲット本体電子部材は、センサー式集積回路、超音波または赤外線受信器、デコーダ、ＬＥＤ発光体、音楽ＩＣから構成され、そのうちセンサー式集積回路のセンサー端とターゲット面が接続され、これにより射撃時にターゲットに命中したときターゲット面から信号が伝送されて集積回路で処理され、着弾点の合計点数がディスプレイに表示され、かつ同時にＬＥＤ発光体と音楽ＩＣが駆動されて音声が作動されることを特徴とする。
【先行技術文献】
【特許文献】
【０００４】
【特許文献１】台湾特許公告第１７４４６１号明細書
【考案の概要】
【考案が解決しようとする課題】
【０００５】
上記特許文献１に記載のターゲットは、このように使用した後、点数を比較的容易に計算できるが、射撃後に弾丸を集めて回収することができず、四方に散った弾丸を一つ一つ探して拾い集める手間が生じ、また隨時携帯及び収納することができなかった。
本考案が解決しようとする課題は、上述の問題を解決し、トイガンの弾丸的中の力を緩衝し、かつターゲットに的中した後のトイガンの弾丸を簡単に収集することができ、さらに閉じて隨時携帯が可能で、体積が小さく、収納に便利なトイガン用ターゲット装置を提供することにある。
【課題を解決するための手段】
【０００６】
本考案のトイガン用ターゲット装置は、制御回路板と、前記制御回路板の前方に設置されたセンサー板と、透明の軟性材質から成り、前記センサー板の前方に設置された緩衝板と、前記制御回路板と電気的に接続され、前記センサー板の上方に位置する第１表示板と、前記制御回路板と電気的に接続され、前記センサー板の上方に位置し、かつ前記第１表示板と隣接する第２表示板と、前記制御回路板、前記センサー板、前記緩衝板、前記第１表示板、前記第２表示板を内部に収容するケースを含み、前記センサー板がいくつかのセンサーエリアに区分され、各センサーエリアが前記制御回路板と電気的に接続され、かつ各センサーエリアがそれぞれ対応する異なる数値を代表し、トイガンの弾丸が的中した前記センサー板のいずれかのセンサーエリアに対応する数値が前記第１表示板に表示され、前記トイガンの弾丸が的中した各回の前記センサー板の各センサーエリアに対応する数値の総和が前記第２表示板に表示される。
【０００７】
前記センサーエリアが、円心エリアと、第１環状エリアと、第２環状エリアと、第３環状エリアと、第４環状エリアを含み、前記第１環状エリアが前記円心エリアの外囲を囲み、前記第２環状エリアが前記第１環状エリアの外囲を囲み、前記第３環状エリアが前記第２環状エリアの外囲を囲み、前記第４環状エリアが前記第３環状エリアを囲むことがある。
【考案の効果】
【０００８】
本考案のトイガン用ターゲット装置は、ケースに収容されているので、ケースを閉じると嵩張らず、収納及び携帯に便利であり、ケースを開いた状態で使用すると、的中した弾丸がケース内に落下するため回収しやすい。
また、弾丸が的中する度に自動的に点数が表示されると共に、合計得点が表示されるので、的中したか否かの判断を誤ることが無く、得点の計算も容易である。
さらに、センサー板の前方に緩衝板を設置してあるので、弾丸が衝突した衝撃によってセンサー板や制御回路板が傷つく心配が無い。
【図面の簡単な説明】
【０００９】
【図１】本考案の実施例を示すトイガン用ターゲット装置の要部分解斜視図である。
【図２】本考案の実施例を示すトイガン用ターゲット装置の要部斜視図である。
【図３】本考案の実施例を示すトイガン用ターゲット装置の弾丸検出時の要部斜視図である。
【図４】本考案の実施例を示すトイガン用ターゲット装置の分解斜視図である。
【図５】本考案の実施例を示すトイガン用ターゲット装置のケース開放状態における斜視図である。
【図６】本考案の実施例を示すトイガン用ターゲット装置の使用状態における斜視図である。
【図７】本考案の実施例を示すトイガン用ターゲット装置の収容状態における斜視図である。
【考案を実施するための形態】
【００１０】
以下、本考案の実施例を図面に基づいて詳細に説明する。
図１は本考案のトイガン用ターゲット装置の要部分解斜視図である。図２は本考案のトイガン用ターゲット装置の要部斜視図である。図３は本考案のトイガン用ターゲット装置の弾丸検出時の要部斜視図である。図４は本考案のトイガン用ターゲット装置の分解斜視図である。図５は本考案のトイガン用ターゲット装置のケース開放状態における斜視図である。図６は本考案のトイガン用ターゲット装置の使用状態における斜視図である。図７は本考案のトイガン用ターゲット装置の収容状態における斜視図である。
【００１１】
図１〜図７に示すように、本考案のトイガン用ターゲット装置１は、制御回路板２、センサー板３、緩衝板４、第１表示板５、第２表示板６、ケース７を含む。
センサー板３は制御回路板２の前方に設置される。また、センサー板３はいくつかのセンサーエリアに区分され、各センサーエリアが制御回路板２と電気的に接続される。各センサーエリアはそれぞれ対応する異なる数値を代表する。例えば、センサーエリアは円心エリア３１、第１環状エリア３２、第２環状エリア３３、第３環状エリア３４、第４環状エリア３５を含み、第１環状エリア３２が円心エリア３１外囲を囲み、第２環状エリア３３が第１環状エリア３２外囲を囲み、第３環状エリア３４が第２環状エリア３３外囲を囲み、第４環状エリア３５が第３環状エリア３４外囲を囲んでいる。そして、円心エリア３１が１０点、第１環状エリア３２が８点、第２環状エリア３３が６点、第３環状エリア３４が４点、第４環状エリア３５が２点等とすることができる。
【００１２】
緩衝板４は透明の軟性材質から成り、センサー板３の前方に設置する。緩衝板４は透明の軟性材質から成るため、センサー板３上の表示が見え、トイガンの弾丸に対して緩衝を行う。
【００１３】
第１表示板５は制御回路板２と電気的に接続され、センサー板３の上方に位置する。第１表示板５には、トイガンの弾丸が的中したセンサー板３のいずれかのセンサーエリアに対応する数値が表示され、例えば、トイガンの弾丸が円心エリア３１に的中したとき、第１表示板５には「１０」点と表示される。
【００１４】
第２表示板６は制御回路板２と電気的に接続され、センサー板３の上方に位置し、かつ第１表示板５と隣接する。第２表示板６には、前記トイガンの弾丸が的中した各回のセンサー板３の各センサーエリアに対応する数値の総和が表示され、例えば１回目に円心エリア３１(点数１０)に的中し、２回目に第１環状エリア３２(点数８)に的中した場合、第２表示板６には「１８」点と表示される。
【００１５】
制御回路板２、センサー板３、緩衝板４、第１表示板５、第２表示板６はケース７内に設置される。これにより、ケース７を開いて開放状態としたとき(図５参照)、ゲームを行うことができる。ケース７を開いてゲームを行っている使用状態にあるとき(図６参照)、トイガンの弾丸が緩衝板４に的中した後、ケース７内に落下し、弾丸を収集することができる。ケース７を閉じると、体積を小さくして収納することができ(図７参照)、隨時携帯できる。
【００１６】
以上は、本考案の実施例の説明であって、本考案を権利範囲を限定するものではなく、数値の変更や同等の機能を有する部材への置き換えはいずれも本考案の権利範囲に含まれる。
【符号の説明】
【００１７】
１    トイガン用ターゲット装置
２    制御回路板
３    センサー板
３１  円心エリア
３２  第１環状エリア
３３  第２環状エリア
３４  第３環状エリア
３５  第４環状エリア
４    緩衝板
５    第１表示板
６    第２表示板
７    ケース
【図１】
0003189034.tif 000003
【図２】
0003189034.tif 000004
【図３】
0003189034.tif 000005
【図４】
0003189034.tif 000006
【図５】
0003189034.tif 000007
【図６】
0003189034.tif 000008
【図７】
0003189034.tif 000009